(57)【要約】【課題】嵩張りを抑えつつ操作部材を安定して縦置き姿勢に維持する。【解決手段】注出キャップ１６、および蓋体１７のうちの少なくとも一方には、胴部１３のうち、内容物が収容される中空の胴部本体１２よりも径方向の外側に位置する第１突出部３３が備えられ、胴部１３のシール部１１には、胴部本体１２よりも径方向の外側に位置し、かつ第１突出部３３に容器軸Ｏ方向で対向する第２突出部３４が備えられ、第１突出部３３には、長尺状の操作部材５０における長手方向の一端部が支持される支持部４１が形成されるとともに、第２突出部３４には、操作部材５０のうち、その長手方向の両端部同士の間に位置する中間部分が挿通される挿通孔３４ａが形成されている。【選択図】図１
2013177168.tif 000002
【特許請求の範囲】
【請求項１】
容器軸方向の一端開口部が径方向に挟み込まれて閉塞されたシール部を有する胴部、および該胴部の容器軸方向の他端開口部に配設された口部を備える容器本体と、
前記口部に装着されるとともに、該口部内に連通する注出孔が形成された注出キャップと、
前記注出孔を開閉する蓋体と、
を備え、
該蓋体のうち、前記注出孔を閉塞する内面側と反対の外面側を接地させることにより、前記シール部が鉛直方向の上方に位置し、かつ前記口部が鉛直方向の下方に位置する姿勢で自立するチューブ容器であって、
前記注出キャップ、および蓋体のうちの少なくとも一方には、前記胴部のうち、内容物が収容される中空の胴部本体よりも径方向の外側に位置する第１突出部が備えられ、
前記胴部のシール部には、前記胴部本体よりも径方向の外側に位置し、かつ前記第１突出部に容器軸方向で対向する第２突出部が備えられ、
前記第１突出部には、長尺状の操作部材における長手方向の一端部が支持される支持部が形成されるとともに、
前記第２突出部には、前記操作部材のうち、その長手方向の両端部同士の間に位置する中間部分が挿通される挿通孔が形成されていることを特徴とするチューブ容器。
【請求項２】
請求項１記載のチューブ容器であって、
前記第１突出部は、前記注出キャップに配設され、かつ前記容器軸方向に開口する筒体と、前記蓋体に配設され、かつ前記筒体における容器軸方向の他端開口部に容器軸方向に対向する板体と、を備え、
前記支持部は、前記筒体の内周面と、前記板体のうち、前記筒体における容器軸方向の他端開口部に容器軸方向に対向する上面と、を備えていることを特徴とするチューブ容器。
【請求項３】
請求項１または２に記載のチューブ容器であって、
前記第２突出部は、前記シール部が径方向に折り曲げられて形成されていることを特徴とするチューブ容器。
【発明の詳細な説明】
【技術分野】
【０００１】
本発明は、チューブ容器に関するものである。
【背景技術】
【０００２】
従来から、容器軸方向の一端開口部が径方向に挟み込まれて閉塞されたシール部を有する胴部、および該胴部の容器軸方向の他端開口部に配設された口部を備える容器本体と、口部に装着されるとともに、該口部内に連通する注出孔が形成された注出キャップと、注出孔を開閉する蓋体と、を備えるチューブ容器が知られている。
なお、口部から注出した内容物を付着させて用いる操作部材として、例えば、歯ブラシ等のブラシ部材、櫛部材、匙部材およびヘラ部材等が挙げられる。
このようなチューブ容器において、例えば下記特許文献１に示されるように、操作部材を収容する収容体が容器本体の胴部に連設された構成が提案されている。
【先行技術文献】
【特許文献】
【０００３】
【特許文献１】実開昭６３−１２６２５５号公報
【発明の概要】
【発明が解決しようとする課題】
【０００４】
しかしながら、前記従来のチューブ容器では、嵩張りを抑えつつ操作部材を安定して縦置き姿勢に維持することに改善の余地があった。
【０００５】
本発明は、このような事情を考慮してなされたもので、嵩張りを抑えつつ操作部材を安定して縦置き姿勢に維持することができるチューブ容器を提供することを目的とする。
【課題を解決するための手段】
【０００６】
上記課題を解決して、このような目的を達成するために、本発明のチューブ容器は、容器軸方向の一端開口部が径方向に挟み込まれて閉塞されたシール部を有する胴部、および該胴部の容器軸方向の他端開口部に配設された口部を備える容器本体と、前記口部に装着されるとともに、該口部内に連通する注出孔が形成された注出キャップと、前記注出孔を開閉する蓋体と、を備え、該蓋体のうち、前記注出孔を閉塞する内面側と反対の外面側を接地させることにより、前記シール部が鉛直方向の上方に位置し、かつ前記口部が鉛直方向の下方に位置する姿勢で自立するチューブ容器であって、前記注出キャップ、および蓋体のうちの少なくとも一方には、前記胴部のうち、内容物が収容される中空の胴部本体よりも径方向の外側に位置する第１突出部が備えられ、前記胴部のシール部には、前記胴部本体よりも径方向の外側に位置し、かつ前記第１突出部に容器軸方向で対向する第２突出部が備えられ、前記第１突出部には、長尺状の操作部材における長手方向の一端部が支持される支持部が形成されるとともに、前記第２突出部には、前記操作部材のうち、その長手方向の両端部同士の間に位置する中間部分が挿通される挿通孔が形成されていることを特徴とする。
【０００７】
この発明によれば、蓋体の外面側を接地させてこのチューブ容器を自立させた状態で、操作部材をその一端部側から第２突出部の挿通孔に挿入し、該操作部材の一端部を第１突出部の支持部に到達させて支持させる。
これにより、操作部材における長手方向の他端部を、第２突出部よりも上方に位置させた状態で、操作部材が一端部および中間部分の２個所で支持されることとなり、操作部材を安定して縦置き姿勢に維持することができる。
さらに、支持部が、注出キャップ、および蓋体のうちの少なくとも一方に備えられた第１突出部に形成され、挿通孔が、胴部のシール部に備えられた第２突出部に形成されているので、例えば、容器本体の胴部に操作部材を収容する収容体を連設する場合と比べて、嵩張りを抑制することができる。
【０００８】
ここで、前記第１突出部は、前記注出キャップに配設され、かつ前記容器軸方向に開口する筒体と、前記蓋体に配設され、かつ前記筒体における容器軸方向の他端開口部に容器軸方向に対向する板体と、を備え、前記支持部は、前記筒体の内周面と、前記板体のうち、前記筒体における容器軸方向の他端開口部に容器軸方向に対向する上面と、を備えてもよい。
【０００９】
この場合、支持部が、注出キャップの筒体の内周面と、蓋体の板体の上面と、を備えているので、操作部材の一端部を、その全周および鉛直方向の下方から支持することが可能になり、操作部材のチューブ容器に対する位置をより一層確実に安定させることができる。
【００１０】
また、前記第２突出部は、前記シール部が径方向に折り曲げられて形成されてもよい。
【００１１】
この場合、第２突出部が、シール部を径方向に折り曲げて形成されているので、シール部に、該シール部とは別体の第２突出部を取り付ける場合と比べて、このチューブ容器を容易に形成することができる。
【発明の効果】
【００１２】
本発明に係るチューブ容器によれば、嵩張りを抑えつつ操作部材を安定して縦置き姿勢に維持することができる。
【図面の簡単な説明】
【００１３】
【図１】本発明に係る一実施形態として示したチューブ容器の一部断面側面図である。
【図２】図１に示すチューブ容器の（ａ）上面図および（ｂ）下面図である。
【図３】本発明に係る他の実施形態として示したチューブ容器の一部断面側面図である。
【図４】図３に示すチューブ容器の（ａ）上面図および（ｂ）下面図である。
【図５】本発明に係るさらに他の実施形態として示したチューブ容器の（ａ）上面図および（ｂ）上部の側面図である。
【発明を実施するための形態】
【００１４】
以下、図面を参照し、本発明の実施の形態について説明する。
本実施形態に係るチューブ容器１は、図１および図２に示すように、容器軸Ｏ方向の一端開口部が径方向に挟み込まれて閉塞されたシール部１１を有する胴部１３、および該胴部１３の容器軸Ｏ方向の他端開口部に配設された口部１４を備える容器本体１５と、口部１４に装着されるとともに、口部１４内に連通する注出孔１８が形成された注出キャップ１６と、注出孔１８を開閉する蓋体１７と、を備えている。
【００１５】
そして、このチューブ容器１は、蓋体１７のうち、注出孔１８を閉塞する内面側と反対の外面側を接地させることにより、シール部１１が鉛直方向の上方に位置し、かつ口部１４が鉛直方向の下方に位置する姿勢で自立するように構成されている。
以下、自立姿勢にあるチューブ容器１について説明する。すなわち、容器軸Ｏ方向に沿ってシール部１１側を上側、蓋体１７側を下側という。また、容器軸Ｏに直交する方向を径方向といい、容器軸Ｏ回りに周回する方向を周方向という。
さらに、胴部１３内の内容物は、口部１４から注出され操作部材５０の操作部５２に付着されて用いられる。なお、操作部材５０としては、例えば、歯ブラシ等のブラシ部材、櫛部材、匙部材およびヘラ部材等が挙げられる。
容器本体１５の胴部１３は、内容物が収容される中空の胴部本体１２を備えている。この胴部本体１２は、容器軸Ｏ方向から見た平面視で、円弧状をなす容器円周部１２ａと、該容器円周部１２ａの両周端部同士を連結する直線状の容器弦部１２ｂと、を有するＤ字状に形成されている。
【００１６】
この胴部本体１２と同様に、注出キャップ１６も、容器軸Ｏ方向から見た平面視で、円弧状をなすキャップ円周部１６ａと、該キャップ円周部１６ａの両周端部同士を連結する直線状のキャップ弦部１６ｂと、を有するＤ字状に形成されている。注出キャップ１６および胴部本体１２それぞれの平面視形状は互いに同形同大とされ、チューブ容器１の平面視で互いに一致している。
注出キャップ１６は、外郭筒部２３と、外郭筒部２３の下端に連結されたキャップ底壁部２４と、を有する有底筒状に形成されている。
【００１７】
注出キャップ１６には、容器軸Ｏ方向から見た平面視において、キャップ弦部１６ｂとは別に、キャップ円周部１６ａの両周端部同士を連結する円弧状の膨出連結部１９が突設されている。膨出連結部１９は、胴部本体１２より径方向の外側に位置している。この膨出連結部１９およびキャップ円周部１６ａの全体が、このチューブ容器１の平面視で円形状をなしている。
そして、キャップ弦部１６ｂおよび膨出連結部１９により、平面視半月状の開口１６ｃが画成されている。
【００１８】
キャップ底壁部２４には、容器本体１５の口部１４内に嵌合された注出筒部２５と、口部１４に螺着された装着筒部２６と、が上方に向けて突設されている。注出筒部２５および装着筒部２６はそれぞれ容器軸Ｏと同軸に配設されている。
注出筒部２５の下端部は、キャップ底壁部２４よりも下方に突出している。注出筒部２５の内側が注出孔１８となっている。
【００１９】
蓋体１７は、胴部本体１２および注出キャップ１６と同様に、容器軸Ｏ方向から見た平面視で、円弧状をなす蓋円周部１７ａと、該蓋円周部１７ａの両周端部同士を連結する直線状の蓋弦部１７ｂと、を有するＤ字状に形成されている。蓋体１７、注出キャップ１６および胴部本体１２それぞれの平面視形状は互いに同形同大とされ、チューブ容器１の平面視で互いに一致している。
蓋体１７は、周壁部３１と、周壁部３１の下端に連結された蓋底壁部３２と、を有する有底筒状に形成されている。
【００２０】
蓋体１７は、注出キャップ１６にヒンジ部２８を介して連結され、注出キャップ１６と一体に形成されている。ヒンジ部２８は、蓋体１７のうち、容器軸Ｏを径方向に挟む蓋弦部１７ｂの反対側に位置する部分と、注出キャップ１６のうち、容器軸Ｏを径方向に挟むキャップ弦部１６ｂの反対側に位置する部分と、を連結している。なお、蓋体１７には、注出キャップ１６の注出筒部２５に着脱自在に外嵌される栓筒２９が配設されている。  
【００２１】
そして本実施形態では、注出キャップ１６、および蓋体１７の双方に、胴部本体１２よりも径方向の外側に位置する第１突出部３３が備えられている。
第１突出部３３は、注出キャップ１６に配設され、かつ容器軸Ｏ方向に開口する筒体３３ａと、蓋体１７に配設され、かつ筒体３３ａの下端開口部（容器軸方向の他端開口部）に容器軸Ｏ方向で対向する板体３３ｂと、を備えている。
【００２２】
筒体３３ａは、注出キャップ１６の開口１６ｃ内に配設され、キャップ弦部１６ｂおよび膨出連結部１９と一体に形成されている。
板体３３ｂは、蓋底壁部３２に径方向の外側に向けて突設されるとともに、注出キャップ１６の開口１６ｃに容器軸Ｏ方向で対向している。また、板体３３ｂの平面視形状は、開口１６ｃの平面視形状と同形同大となっている。蓋底壁部３２および板体３３ｂは、段差なく滑らかに連なり、一体で平面視円形状をなしている。この円形状は、注出キャップ１６における膨出連結部１９およびキャップ円周部１６ａの全体が、このチューブ容器１の平面視でなす円形状と同形同大となっている。
そして、この第１突出部３３には、長尺状の操作部材５０の柄部５１における両端部のうち、操作部５２が配設されている先端部と反対側の基端部が支持される支持部４１が形成されている。図示の例では、支持部４１は、筒体３３ａの内周面と、板体３３ｂの上面と、を備えている。
【００２３】
胴部１３のシール部１１には、胴部本体１２よりも径方向の外側に位置し、かつ第１突出部３３に容器軸Ｏ方向で対向する第２突出部３４が備えられている。図示の例では、第２突出部３４は、胴部１３のシール部１１が径方向に折り曲げられて形成されている。
そして、第２突出部３４には、柄部５１のうち、先端部と基端部との間に位置する中間部分が挿通される挿通孔３４ａが形成されている。挿通孔３４ａは、第１突出部３３の支持部４１に容器軸Ｏ方向で対向している。
【００２４】
以上説明したように、本実施形態によるチューブ容器１によれば、蓋体１７の外面側を接地させてこのチューブ容器１を自立させた状態で、操作部材５０の柄部５１をその基端部側から第２突出部３４の挿通孔３４ａに挿入し、該柄部５１の基端部を第１突出部３３の支持部４１に到達させて支持させる。
これにより、操作部材５０の操作部５２を、第２突出部３４よりも上方に位置させた状態で、操作部材５０の柄部５１が基端部および中間部分の２個所で支持されることとなり、操作部材５０を安定して縦置き姿勢に維持することができる。
さらに、支持部４１が、注出キャップ１６、および蓋体１７の双方に備えられた第１突出部３３に形成され、挿通孔３４ａが、胴部１３のシール部１１に備えられた第２突出部３４に形成されているので、例えば、容器本体の胴部に操作部材を収容する収容体を連設する場合と比べて、嵩張りを抑制することができる。
【００２５】
また、支持部４１が、注出キャップ１６の筒体３３ａの内周面と、蓋体１７の板体３３ｂの上面と、を備えているので、操作部材５０の柄部５１の基端部を、その全周および鉛直方向の下方から支持することが可能になり、操作部材５０のチューブ容器１に対する位置をより一層確実に安定させることができる。
さらに、第２突出部３４が、シール部１１を径方向に折り曲げて形成されているので、シール部１１に、該シール部１１とは別体の第２突出部を取り付ける場合と比べて、このチューブ容器１を容易に形成することができる。
【００２６】
なお、本発明の技術的範囲は前記実施の形態に限定されるものではなく、本発明の趣旨を逸脱しない範囲において種々の変更を加えることが可能である。
【００２７】
例えば前記実施形態では、容器本体１５の胴部本体１２、注出キャップ１６および蓋体１７それぞれの平面視形状を、互いに同形同大のＤ字状にしたが、図３および図４に示されるチューブ容器２のように、互いに同形同大の円形状にしてもよい。
この構成において、筒体３３ａは、平面視円形状に形成された注出キャップ１６の外郭筒部２３に外接するように外郭筒部２３と一体に形成してもよい。また板体３３ｂは、蓋体１７の周壁部３１に径方向の外側に向けて突設し、ヒンジ部２８が配設されている部分を除く全周にわたって連続して延在させ、その周方向の一部を筒体３３ａの下端開口部に容器軸Ｏ方向で対向させてもよい。
【００２８】
また、図５に示されるチューブ容器３のように、シール部１１と第２突出部３４とを別体としてもよい。
図示の例では、第２突出部３４はＬ字状に形成され、このＬ字をなす一方の平板部分３４ｂに突起３４ｃを設け、他方の平板部分３４ｄに挿通孔３４ａを形成し、シール部１１に第２突出部３４の突起３４ｃが嵌合される孔が形成されている。なお、突起３４ｃは、一方の平板部分３４ｂに、他方の平板部分３４ｄが一方の平板部分３４ｂ側から突出する方向に向けて突設されている。
前記実施形態では、注出キャップ１６、および蓋体１７の双方に、第１突出部３３が備えられた構成を示したが、注出キャップ１６、および蓋体１７のうちのいずれか一方に備えられてもよい。
また、注出キャップ１６および蓋体１７は互いに別体としてもよい。
さらに、操作部材５０の柄部５１の基端部を、第２突出部３４より上方に位置させた状態で、操作部材５０の操作部５２を第１突出部３３の支持部４１に支持させてもよい。
【００２９】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３０】
嵩張りを抑えつつ操作部材を安定して縦置き姿勢に維持することができる。
【符号の説明】
【００３１】
１、２、３  チューブ容器
１１  シール部
１２  胴部本体
１３  胴部
１４  口部
１５  容器本体
１６  注出キャップ
１７  蓋体
１８  注出孔
３３  第１突出部
３３ａ  筒体
３３ｂ  板体
３４  第２突出部
３４ａ  挿通孔
４１  支持部
５０  操作部材
５１  柄部
５２  操作部
Ｏ  容器軸
【図１】
2013177168.tif 000003
【図２】
2013177168.tif 000004
【図３】
2013177168.tif 000005
【図４】
2013177168.tif 000006
【図５】
2013177168.tif 000007